(57)【要約】【課題】  空気層への防水性を保ちつつも当該空気層の通気性を備える水切部材、及び、この水切り部材を備えた建物通気構造を提供すること。【解決手段】  建物における上部外壁材１１と下部外壁材１２との間を仕切る水切部材１３を備え、この水切部材１３は、下部外壁材１２と躯体１０との間の空気層３１Ｂと、当該下部外壁材１２の外側の空間５０とを連通する通気路４５を備えたことを特徴とする。【選択図】      図２
2006348682.tif 000002
【特許請求の範囲】
【請求項１】
上部外壁材と下部外壁材との間を仕切る水切部材であって、前記下部外壁材と躯体との間の空気層と、当該下部外壁材の外側の空間とを連通する通気路を備えたことを特徴とする水切部材。
【請求項２】
建物における上部外壁材と下部外壁材との間を仕切る水切部材を備え、この水切部材は、前記下部外壁材と躯体との間の空気層と、当該下部外壁材の外側の空間とを連通する通気路を備えたことを特徴とする建物通気構造。
【発明の詳細な説明】
【技術分野】
【０００１】
本発明は、建物における上部外壁材と下部外壁材との間を仕切る水切部材、及び、この水切部材を備えた建物通気構造に関する。
【背景技術】
【０００２】
一般に、木構造の建物において、外壁材を、その長手方向を上下方向にして、建物の躯体に取り付ける縦張構造が知られている（例えば、特許文献１参照）。この種の縦張構造では、建物の躯体に横胴縁が釘打ちされ、この横胴縁に対して外壁材が留め付けられている。これにより、建物躯体と外壁材との間には、空気層が確保されている。
また、建物の上部外壁材と下部外壁材との間には、上部外壁材の下端を支持する支持金具と、空気層に雨水が浸入することを防止する水切部材とが設けられ、これら支持金具及び水切部材は、上記空気層の通気性が損なわれないように、横胴縁に固定されている。
【特許文献１】特開平０９−１９５３９６号公報
【発明の開示】
【発明が解決しようとする課題】
【０００３】
ところで、近年、鉄骨構造の建物においても、外壁材を縦張り施工することが多くなってきている。鉄骨構造では、支持金具及び水切部材は鉄骨下地に直接取り付けられるため、この水切部材によって、外壁材と鉄骨下地との間の空気層が上下に分断されるとともに、水切部材の防水効果によって、特に下方の空気層では、空気の流れが遮断されてしまうことが考えられる。このため、この点を解消する手段を講じる必要がある。
そこで、本発明は、空気層への防水性を保ちつつも当該空気層の通気性を備える水切部材、及び、この水切り部材を備えた建物通気構造を提供することを目的とする。
【課題を解決するための手段】
【０００４】
上記課題を解決するため、本発明は、上部外壁材と下部外壁材との間を仕切る水切部材であって、下部外壁材と躯体との間の空気層と、当該下部外壁材の外側の空間とを連通する通気路を備えたことを特徴とする。
また、本発明は、建物における上部外壁材と下部外壁材との間を仕切る水切部材を備え、この水切部材は、下部外壁材と躯体との間の空気層と、当該下部外壁材の外側の空間とを連通する通気路を備えたことを特徴とする。
【発明の効果】
【０００５】
本発明によれば、空気層への防水性を保ちつつも当該空気層の通気性の向上を図ることができる。
【発明を実施するための最良の形態】
【０００６】
以下、添付図面を参照して本発明の一実施の形態について説明する。
図１は、本実施形態にかかる家屋等の建物の外壁構造を示す斜視図であり、図２は、この外壁構造を示す断面図である。
これら図１及び図２に示すように、外壁構造１は、建物の躯体（鉄骨下地）１０に取り付けられる、窯業系の上部外壁材１１及び下部外壁材１２と、これら各外壁材１１、１２との間を仕切る水切部材１３とを備える。各外壁材１１、１２は縦張り施工され、これら外壁材１１、１２は、その下端を略Ｌ字状に形成された支持金具１４によって支持される。この支持金具１４は、左右に隣接する外壁材１１、１２の接合部に配置され、水切部材１３とともに防水シート２０を介して躯体１０にねじ１５で固定されている。
【０００７】
また、外壁材１１の左右両端には、図示を省略したが、合じゃくり加工が施されている。この合じゃくり加工は、外壁材１１、１２を縦張りした場合に、左右両端となる長辺側の一方には表合じゃくり面が形成され、他方には、当該表合じゃくり面に接合する裏合じゃくり面が形成されている。そして表合じゃくり面と裏合じゃくり面とを留付金具１６で係止することによって、左右に隣接する外壁材１１同士を接合している。この留付金具１６は、外壁材１１の長手方向に渡って複数（本構成では３つ）配置され、防水シート２０を介して躯体１０にねじ１７で固定されている。外壁材１２は、上記外壁材１１と同一の構成のため、説明を省略する。
また、躯体（鉄骨下地）１０間には、断熱材１８が配置されており、これら躯体１０及び断熱材１８の室内側には、当該躯体１０及び断熱材１８に隣接して内壁材１９（図２）が設けられている。
【０００８】
外壁材１１、１２は、留付金具１６で躯体１０に保持されているため、躯体１０と外壁材１１、１２との間には、所定の間隙Ｌ（図２）を有する空気層３１Ａ、３１Ｂが形成されている。本構成では、この空気層３１Ａ、３１Ｂの間隙Ｌは約１２ｍｍに設定されている。下部の空気層３１Ｂは、建物の土台に形成された通気口（不図示）に接続されており、上部の空気層３１Ａは、建物の軒天に形成された通気口（不図示）に接続され、これら空気層３１Ａ、３１Ｂに外気を導入可能に構成されている。
【０００９】
水切部材１３は、図２に示すように、上部外壁材１１と下部外壁材１２との間に配置されるものであって、上部外壁材１１の表面を流れ落ちてきた雨水が空気層３１（特に下部の空気層３１Ｂ）に浸入しないようになっている。この水切部材１３は、第１部材４１と第２部材４３とを備え、これら第１部材４１及び第２部材４３を上下に重ね合わせることによって構成される。水切部材１３には、当該第１部材４１及び第２部材４３の間に、下部の空気層３１Ｂと下部外壁材１２の外側の空間５０とを連通する通気路４５が形成されている。
【００１０】
第１部材４１は、図３に示すように、躯体１０に固定される基板部４１Ａと、この基板部４１Ａの下端から斜め下方に延出して下部の空気層３１Ｂ（図２）に配置される通気部４１Ｂと、この通気部４１Ｂの先端に連なり、下部外壁材１２の上端部１２Ａを覆うように形成されるカバー部４１Ｃとを備える。通気部４１Ｂには、図３及び図４に示すように、複数の通気孔４４が形成されており、下部の空気層３１Ｂと通気路４５との連通を可能にしている。
【００１１】
また、第２部材４３は、図３に示すように、第１部材４１の基板部４１Ａとともに躯体１０に固定される背板部４３Ａと、この背板部４３Ａの下端から下部外壁材１２の表面側に突出した水切板部４３Ｂと、この水切板部４３Ｂの先端から下方に屈曲した前板部４３Ｃとを備える。一般に、準耐火６０分構造の建築物においては、空気層３１内の延焼を防止すべく、延焼防止部材（ファイヤーストップ）を設ける必要がある。しかし、本構成では、第２部材４３は、上記第１部材４１とともに、躯体１０に直接固定されることにより、当該第２部材４３の水切板部４３Ｂは、空気層３１を上部の空気層３１Ａと下部の空気層３１Ｂとに分断する。このため、第２部材が当該空気層３１の延焼防止部材としての役割をも果たすこととなり、空気層３１に別個延焼防止部材を設ける必要がない。
【００１２】
通気路４５には、上述した通気を行うとともに、当該通気路４５を通じて、雨水等が下部の空気層３１Ｂに浸入することを防止すべく、第１及び第２の防水部材４６、４７が設けられている。これら第１及び第２の防水部材４６、４７として、例えば、発泡ＥＰＤＭ等の弾性体が用いられる。第１の防水部材４６は、図２及び図３に示すように、第１部材４１の長手方向に沿って、当該第１部材４１のカバー部４１Ｃの上面４１１と、第２部材の水切板部４３Ｂの裏面との間に配置されている。また、第２の防水部材４７は、第１部材４１の長手方向に沿って、第１部材４１のカバー部４１Ｃの側面４１２と、第２部材の前板部４３Ｃの裏面との間に配置されている。
【００１３】
第１の防水部材４６は、図５に示すように、一の防水部材４６の終端４６Ｂと、他の防水部材４６の先端４６Ａとの間に、所定の間隔Ｓ１（例えば、４５ｍｍ）を設けて配置され、この所定の間隔Ｓ１が通気路として機能する。また、この第１の防水部材４６は、一の防水部材４６の終端４６Ｂと、他の防水部材４６の終端４６Ｂとの間が所定距離Ｔ（例えば、１０００ｍｍ）となるように構成されている。第２の防水部材４７は、一の防水部材４７の終端４７Ｂと、他の防水部材４７の先端４７Ａとの間に、所定の間隔Ｓ２（例えば、４５ｍｍ）を設けて配置され、この所定の間隔Ｓ２が通気路として機能する。また、この第１の防水部材４７は、一の防水部材４７の終端４７Ｂと、他の防水部材４７の終端４７Ｂとの間が所定距離Ｔ（例えば、１０００ｍｍ）となるように構成されている。これら所定間隔Ｓ１、Ｓ２と所定距離Ｔとの関係は、実験等に基づいて、通気路４５を空気が十分に流れるような比率に設定されている。
【００１４】
本構成では、上記第１の防水部材４６に設けられる所定間隔Ｓ１の位置と、第２の防水部材４７に設けられる所定間隔Ｓ２の位置とは、各防水部材４６、４７の所定長さＴの約半分の長さＴ／２だけずらして、お互いに重ならないように配置されている。すなわち、通気路４５内を迷路状に形成することによって、万一、この通気路４５に雨水が浸入した場合であっても、各防水部材４６、４７によって遮断されるため、雨水が下部の空気層３１Ｂまで浸入することが防止される。
【００１５】
本実施形態では、上部外壁材１１と下部外壁材１２との間に水切部材１３を配置し、この水切部材１３に、下部外壁材１１と躯体１０との間の空気層３１と、当該下部外壁材１１の外側の空間５０とを連通する通気路４５を形成しているため、水切部材１３が躯体に直接取り付けられている場合であっても、防水性を保持したまま、空気層３１の通気性を向上させることができる。これによれば、空気層３１内に湿気が溜まることが防止できるため、この空気層３１内の結露によって当該空気層３１内にカビが発生することを防止したり、結露水によって躯体１０が傷むことを防止できる。
【００１６】
また、本実施形態では、水切部材１３は、上下方向に重ね合わされる第１部材４１及び第２部材４３を備え、これら第１部材４１と第２部材４３との間に通気路４５が形成されるため、煩雑な工程を要することなく通気路４５を水切部材１３に設けることができる。
【００１７】
また、本実施形態では、通気路４５には、水切部材１３の長手方向に沿って、第１の防水部材４６が配置され、一の防水部材４６の終端４６Ｂと他の防水部材４６の先端４６Ａとの間に所定の間隔Ｓ１を設けているため、通気路４５の通気と防水を兼ね備えることができる。
【００１８】
更に、本実施形態では、通気路４５には、上記第１の防水部材４６と略平行に、第２の防水部材４７が配置され、この第２の防水部材４７は、一の防水部材４７の終端４７Ｂと他の防水部材４７の先端４７Ａとの間に所定の間隔Ｓ２を設けている。この場合、第２の防水部材４７間に設けられた間隔Ｓ２は、第１の防水部材４６間に設けられた間隔Ｓ１と、重ならないような位置に配置されているため、通気路４５に浸入した雨水は、第１及び第２の防水部材によって遮断されることにより、当該通気路４５内の防水機能をより高めることができる。
【００１９】
また、本実施形態では、水切部材１３を構成する第２部材４３は、躯体１０に直接取り付けられているため、当該第２部材４３の水切板部４３Ｂが通気路３１を上下に分断する。これによれば、この第２部材４３が通気路３１の延焼防止部材としての機能をも果たすため、この通気路３１に延焼防止部材を別個設ける必要がなく、部品点数及び作業工程の削減を図ることができる。
【００２０】
上述した実施形態は、あくまでも本発明の一態様にすぎず、本発明の範囲内で任意に変形可能である。例えば、本実施形態では、外壁材１１、１２を縦張りする構成について、説明したが、これに限るものではなく、外壁材を横張りする場合に適用しても良い。これによれば、デザイン上の観点から横張りした上下の外壁材の間に水切部材を配置する場合であっても、下部外壁材と躯体との間の空気層と、当該下部外壁材の外側の空間とが連通されるため、空気層の通気性を向上することができる。
【００２１】
また、本実施形態では、鉄骨構造の建物に外壁材１１、１２を留め付ける場合について説明したが、これに限るものではなく、木構造の建物に適用しても良い。これによれば、木造建築において横胴縁を設けない場合であっても、空気層と外部とを連通することができるため、部品点数及び作業工程を削減することができる。
【図面の簡単な説明】
【００２２】
【図１】本実施形態にかかる家屋等の建物の外壁構造を示す斜視図である。
【図２】外壁構造を示す断面図である。
【図３】水切部材の構成を示す分解斜視図である。
【図４】第１部材に形成された通気孔を説明するための図である。
【図５】通気路に配置される防水部材を示す斜視図である。
【符号の説明】
【００２３】
１０  躯体（鉄骨下地）
１１  上部外壁材
１２  下部外壁材
１３  水切部材
３１  空気層
３１Ｂ  下部空気層
４１  第１部材
４３  第２部材
４４  通気孔
４５  通気路
４６  第１の防水部材
４７  第２の防止部材
５０  空間
【図１】
2006348682.tif 000003
【図２】
2006348682.tif 000004
【図３】
2006348682.tif 000005
【図４】
2006348682.tif 000006
【図５】
2006348682.tif 000007